(57)【要約】【課題】背中の毛剃りを簡単にかつ確実に行える背剃りカミソリを提供すること。【解決手段】背中の毛を剃るためのカミソリ１００であって、前記背中に当接されて毛を剃り落とすブレード部４０を有するヘッド部１０と、このヘッド部１０が連結されるベース部２０と、このベース部２０に一体化したグリップ部３０とを備えたこと。【選択図】図１
2009045164.tif 000002
【特許請求の範囲】
【請求項１】
背中の毛を剃るためのカミソリであって、
前記背中に当接されて毛を剃り落とすブレード部を有するヘッド部と、このヘッド部が連結されるベース部と、このベース部に一体化したグリップ部とを備えたことを特徴とする背剃りカミソリ。
【請求項２】
前記グリップ部は、伸縮自在であることを特徴とする請求項１に記載の背剃りカミソリ。
【請求項３】
前記ヘッド部は、前記背中に当接する案内面によって、前記ブレード部の全体を囲むようにしたことを特徴とする請求項１または請求項２に記載の背剃りカミソリ。
【請求項４】
前記ヘッド部とベース部との連結は、ジョイント部を介して行うようにしたことを特徴とする請求項１〜請求項３のいずれかに記載の背剃りカミソリ。
【請求項５】
前記ジョイント部は、このジョイント部と前記ヘッド部とを傾動可能に連結する第１傾動部と、当該ジョイント部と前記ベース部とを傾動可能に連結する第２傾動部とを有したものとして、
前記ヘッド部の前記グリップ部に対する傾動が、前記第１傾動部と、第２傾動部との２軸で行われるようにしたことを特徴とする請求項４に記載の背剃りカミソリ。
【発明の詳細な説明】
【技術分野】
【０００１】
本発明は、背中の毛（無駄毛）や皮膚（日焼けした皮膚）を剃るための背剃りカミソリに関するものである。
【背景技術】
【０００２】
特に女性が行う肌の手入れの一環として、腕や脛の毛を、カミソリを使用して自分で剃ることは一般的に行われている。近年では、背中も露出させることが多くなってきていることから、背中の毛を気にする女性も増えてきている。
【０００３】
カミソリによって腕や脛の毛を自分で剃ることは、これらの腕や脛は剃る人自らが見ることのできる箇所であるから簡単にできるが、背中は鏡を使ってもなかなか見えないから、背中の毛を自分で剃ることはしたくてもできない。
【０００４】
そこで、本発明者等は、背中の毛を剃ることのできるカミソリはないものかと種々探してみた。しかしながら、脛や腕の毛を剃るカミソリは勿論、髭を剃るカミソリについては、出願人においても例えば特許文献１等において種々出願していて、様々なものが提案されているが、こと「背中」を剃る道具については殆ど見あたらなかった。
【特許文献１】特許第３９５１１６８号掲載公報
【発明の開示】
【発明が解決しようとする課題】
【０００５】
そこで、本発明者等は、「背中」の毛を自分でも剃ることのできるカミソリとするにはどうしたらよいか、について種々検討を重ねてきた結果、腕や脛の毛を剃る一般的なカミソリに対して、次の改善を行えばよいのではないかとの知見を得た。
【０００６】
まず、カミソリを手で持って背中に当てようとしたとき、人はカミソリを持った手を背中に当てるものである。その理由は、背中に対しては手が十分届かなくて不安定な姿勢になるから、カミソリを持った手を背中に当てて安定化を図ろうとするからである。そうなると、手で握るグリップ部に対して、剃る部分であるヘッド部は直接的ではなく、少し離れて連結されているとよいと考えられる。
【０００７】
当然、グリップ部がある程度長くなれば、手が届きにくくて広い面積の背中に対して、剃り作業が良好に行われると予想できるから、グリップ部は伸縮自在であった方がよいと考えられる。
【０００８】
そして、手を背中に向かわせると、背中において肩胛骨が移動して背中に凹凸部分ができるから、この凹凸部分を何とかクリアして、ブレード部が円滑に滑るようにしなければならないとも考えられる。
【０００９】
以上のような知見を得た本発明者等は、これらの知見を実現すべく種々検討を重ねてきた結果、本発明を完成したのである。
【００１０】
すなわち、本発明の目的とするところは、「背中」の毛剃りを簡単にかつ確実に行える背剃りカミソリを提供することにある。
【課題を解決するための手段】
【００１１】
以上の課題を解決するために、まず、請求項１に係る発明の採った手段は、後述する最良形態の説明中で使用する符号を付して説明すると、
「背中の毛を剃るためのカミソリ１００であって、
前記背中に当接されて毛を剃り落とすブレード部４０を有するヘッド部１０と、このヘッド部１０が連結されるベース部２０と、このベース部２０に一体化したグリップ部３０とを備えたことを特徴とする背剃りカミソリ１００」
である。
【００１２】
すなわち、この請求項１に係る背剃りカミソリ１００は、ブレード部４０を有するヘッド部１０と、このヘッド部１０が連結されるベース部２０と、このベース部２０に一体化したグリップ部３０とを備えたものであり、ヘッド部１０はベース部２０によって、図１に示すように、グリップ部３０から大きく離れたものとなっている。
【００１３】
換言すれば、この背剃りカミソリ１００においては、ヘッド部１０とグリップ部３０との間にベース部２０が存在していることによって、ヘッド部１０がグリップ部３０からベース部２０の分だけ背中面側に突出することになり、グリップ部３０を握った手がグリップ部３０と背中面に当接していても、ヘッド部１０を背中面に十分届かせることができるものとなっているのである。勿論、グリップ部３０を握った手を背中面に沿わせて移動させても、ベース部２０によって背中面に近づいているヘッド部１０による、背中の毛剃りが確実になされることは言うまでもない。
【００１４】
また、グリップ部３０については、所謂「孫の手」（背中を掻くための道具）のように長く固定的なものとして実施してもよいことは勿論、折り畳み自在にしたり、あるいは後述する最良形態のように、長さ調整可能に伸縮自在なものとして実施してもよいものである。
【００１５】
従って、この請求項１の背剃りカミソリ１００は、これを手で持って背中に当てても、また背中に対して手が十分届かなくて不安定な姿勢になっても、ヘッド部１０は十分背中面に届き、背中の毛を確実に剃ることができるものとなっているのである。
【００１６】
また、上記課題を解決するために、請求項２に係る発明の採った手段は、上記請求項１に記載の背剃りカミソリ１００について、
「グリップ部３０は、伸縮自在であること」
としたことである。
【００１７】
すなわち、この請求項２の背剃りカミソリ１００では、図３中に実線と仮想線との書き分けで示した通り、そのグリップ部３０を伸縮させることができるものであり、その構造は、例えば図１２に示すようにしてある。この図１２に示した最良形態では、グリップ部３０を、中心になる本体部３１と、この本体部３１の上下両面に配置される上スライド板３２及び下スライド板３３によって構成するとともに、これらの上スライド板３２及び下スライド板３３が一体となって本体部３１に対してスライドできるようにしてある。
【００１８】
以上の結果、グリップ部３０は図３中の実線にて示した長さのものから、図３中の仮想線にて示した程度の長さのものまで伸縮できるのであるから、手が届きにくくて広い面積の背中面に対して、ヘッド部１０を十分行き渡らせることができるから、このヘッド部１０による剃り作業を良好に行えるのである。勿論、この場合の「伸縮」は、段階的な伸縮、例えば２段階や３段階に分かれるようにしてもよい。
【００１９】
従って、この請求項２の背剃りカミソリ１００は、上記請求項１のそれと同様な機能を発揮する他、ヘッド部１０を背中面に対して十分行き渡せることができるものとなっているのであり、背中の毛剃りを良好に行えるものとなっている。
【００２０】
さらに、上記課題を解決するために、請求項３に係る発明の採った手段は、上記請求項１または請求項２に記載の背剃りカミソリ１００について、
「ヘッド部１０は、前記背中に当接する案内面１１によって、ブレード部４０の全体を囲むようにしたこと」
である。
【００２１】
すなわち、この請求項３の背剃りカミソリ１００では、図４に示すように、ブレード部４０の全体を、ヘッド部１０側の案内面１１によって囲んだものとしたものであり、各ブレード４１の先端がヘッド部１０の側面に突出しないものとしてある。換言すれば、ブレード部４０はヘッド部１０に形成してある収納凹所１１ａ内に埋め込まれる状態でセットされるものであり、その結果、各ブレード４１は、案内面１１の中央にて露出するものとなり、各ブレード４１の周囲は案内面１１によって囲まれているのである。
【００２２】
そこで、この背剃りカミソリ１００を持った手を背中に向かわせると、背中において肩胛骨が移動して背中に凹凸部分ができるが、ブレード部４０による背中の剃りを行う際に、このブレード部４０が有している各ブレード４１は、まず案内面１１が背中の凹凸部分に接触した後に接触し、いきなり背中面に接触することがない。何故なら、このブレード部４０及びこれが有している各ブレード４１はヘッド部１０側の案内面１１によって囲まれているからである。
【００２３】
従って、この請求項３に係る背剃りカミソリ１００は、上記請求項１または２のそれと同様な機能を発揮することは勿論、案内面１１が背中の凹凸部分に接触した後に、ブレード部４０が有している各ブレード４１が背中に接触することになるから、当該背剃りカミソリ１００の使用によって背中に傷を負うことはないのである。
【００２４】
さらにまた、請求項４に係る発明の採った手段は、上記請求項１〜請求項３のいずれかに記載の背剃りカミソリ１００について、
「ヘッド部１０とベース部２０との連結は、ジョイント部５０を介して行うようにしたこと」
である。
【００２５】
すなわち、この請求項４の背剃りカミソリ１００は、図１、図２、図４に示すように、ヘッド部１０とベース部２０との連結を、ジョイント部５０を介して行うようにしたものであり、ヘッド部１０はこのジョイント部５０と前述したベース部２０によって、図１及び図４に示すように、グリップ部３０からさらに大きく離れたものとなっている。
【００２６】
換言すれば、この背剃りカミソリ１００においては、ブレード部４０がジョイント部５０とベース部２０とによってグリップ部３０の先端から大きく突出していることによって、ヘッド部１０がグリップ部３０からベース部２０とジョイント部５０の分だけ背中面側に突出することになり、グリップ部３０を握った手がグリップ部３０と背中面に当接していても、ヘッド部１０を背中面に十分届かせることができるものとなっているのである。勿論、グリップ部３０を握った手を背中面に沿わせて移動させても、ジョイント部５０及びベース部２０によって背中面に近づいているヘッド部１０による、背中の毛剃りが確実になされることは言うまでもない。
【００２７】
従って、この請求項４の背剃りカミソリ１００は、上記請求項１〜３のそれと同様な機能を発揮する他、これを手で持って背中に当てても、また背中に対して手が十分届かなくて不安定な姿勢になっても、ジョイント部５０とベース部２０とによってヘッド部１０は十分背中面に届き、背中の毛をより一層確実に剃れるのである。
【００２８】
そして、上記課題を解決するために、請求項５に係る発明の採った手段は、上記請求項４に記載の背剃りカミソリ１００について、
「ジョイント部５０は、このジョイント部５０とヘッド部１０とを傾動可能に連結する第１傾動部５１と、当該ジョイント部５０とベース部２０とを傾動可能に連結する第２傾動部５２とを有したものとして、
ヘッド部１０のグリップ部３０に対する傾動が、第１傾動部５１と、第２傾動部５２との２軸で行われるようにしたこと」
である。
【００２９】
すなわち、この請求項５の背剃りカミソリ１００では、図５〜図７に示すように、ジョイント部５０に第１傾動部５１と第２傾動部５２とを設けたものであり、これらの第１傾動部５１と、第２傾動部５２との２軸で、ヘッド部１０のグリップ部３０に対する傾動を行うようにしたものである。換言すれば、ヘッド部１０のグリップ部３０に対する傾動が、第１傾動部５１と第２傾動部５２との２箇所で行われるようにしたものである。
【００３０】
後述する最良形態では、これらの第１傾動部５１と第２傾動部５２との各軸は、図５に示すように、その軸心方向が互いに直交した状態にしてあり、第１傾動部５１によるジョイント部５０とヘッド部１０との傾動方向と、第２傾動部５２によるジョイント部５０とベース部２０との傾動方向とが異なるようにしたものである。
【００３１】
以上のように、ヘッド部１０が第１傾動部５１と第２傾動部５２との２箇所によって傾動することにより、ヘッド部１０はグリップ部３０に対して複雑に傾動し得ることになり、背中の複雑な凹凸に応じたヘッド部１０の傾動が可能になっているのである。特に、第１傾動部５１と第２傾動部５２との２箇所の傾動方向がそれぞれ直交しているのであれば、ヘッド部１０はグリップ部３０に対してより一層複雑に傾動し得ることになる。
【００３２】
ヘッド部１０がグリップ部３０に対して複雑に傾動し得るのであれば、前述したブレード部４０がヘッド部１０側の案内面１１によって囲まれていることとも相まって、このヘッド部１０は、ブレード部４０の各ブレード４１を露出させた面が背中の凹凸に完全に沿った状態で、背中の面の形状に合った傾動を行うことになる。これにより、各ブレード４１は常に背中の毛を効率的に剃り落とすことになり、当該背剃りカミソリ１００は、背中の毛剃りをより一層確実に行うことになる。
【００３３】
従って、この請求項５の背剃りカミソリ１００は、上記請求項４のそれと同様な機能を発揮する他、ヘッド部１０の首振りを背中の凹凸に合わせて行うことができるから、背中の毛剃りがより一層確実に行えるものとなっている。
【発明の効果】
【００３４】
以上説明した通り、請求項１に係る発明においては、
「背中の毛を剃るためのカミソリ１００であって、
前記背中に当接されて毛を剃り落とすブレード部４０を有するヘッド部１０と、このヘッド部１０が連結されるベース部２０と、このベース部２０に一体化したグリップ部３０とを備えたこと」
にその構成上の特徴があり、これにより、この背剃りカミソリ１００を手で持って背中に当てても、また背中に対して手が十分届かなくて不安定な姿勢になっても、ヘッド部１０を背中面に十分届かせることができ、背中の毛を確実に剃ることができるのである。
【００３５】
また、請求項２に係る発明においては、上記請求項１に記載の背剃りカミソリ１００について、
「グリップ部３０は、伸縮自在であること」
としたことにその構成上の特徴があり、これにより、上記請求項１のそれと同様な効果を発揮することができる他、ヘッド部１０を背中面に対して十分行き渡せることができ、背中の毛剃りを良好に行える背剃りカミソリ１００とすることができる。
【００３６】
さらに、請求項３に係る発明によれば、上記請求項１または請求項２に記載の背剃りカミソリ１００について、
「ヘッド部１０は、前記背中に当接する案内面１１によって、ブレード部４０の全体を囲むようにしたこと」
にその構成上の特徴があり、これにより、上記請求項１または２のそれと同様な効果を発揮できることは勿論、ブレード部４０が有している各ブレード４１を背中に直接接触させることがないから、当該背剃りカミソリ１００は、その使用によって背中に傷を負わせることがない。
【００３７】
さらにまた、請求項４に係る発明においては、上記請求項１〜請求項３のいずれかに記載の背剃りカミソリ１００について、
「ヘッド部１０とベース部２０との連結は、ジョイント部５０を介して行うようにしたこと」
にその構成上の特徴があり、これにより、ヘッド部１０とベース部２０との連結を、ジョイント部５０を介して行うことができ、このジョイント部５０と前述したベース部２０によって、ヘッド部１０をグリップ部３０からさらに大きく離れたものとすることができて、安全性の高い背剃りカミソリ１００とすることができる。
【００３８】
そして、請求項５に係る発明によれば、上記請求項４に記載の背剃りカミソリ１００について、
「ジョイント部５０は、このジョイント部５０とヘッド部１０とを傾動可能に連結する第１傾動部５１と、当該ジョイント部５０とベース部２０とを傾動可能に連結する第２傾動部５２とを有したものとして、
ヘッド部１０のグリップ部３０に対する傾動が、第１傾動部５１と、第２傾動部５２との２軸で行われるようにしたこと」
にその構成上の特徴があり、これにより、上記請求項４のそれと同様な機能を発揮する他、ヘッド部１０の首振りを背中の凹凸に合わせて行うことができ、背中の毛剃りがより一層確実に行える背剃りカミソリ１００とすることができる。
【発明を実施するための最良の形態】
【００３９】
次に、上記のように構成した各請求項に係る発明を、図面に示した最良の形態である背剃りカミソリ１００について説明すると、図１には、本発明に係る背剃りカミソリ１００の側面図が示してあるが、この図１では、背剃りカミソリ１００のヘッド部１０を背中面に当接させてものとして示してある。そして、この背剃りカミソリ１００は、前記背中面に当接されて毛を剃り落とすブレード部４０を有するヘッド部１０と、このヘッド部１０が連結されるベース部２０と、このベース部２０に一体化したグリップ部３０とを備えたものである。
【００４０】
本最良形態のヘッド部１０は、図２〜図４に示したように、ヘッド本体１０ａとヘッド基部１０ｂとを互いに嵌合させて一体化したものであるが、後述するジョイント部５０によってベース部２０の先に連結したものである。ヘッド本体１０ａは、図８の（ａ）に示したように、その内面にヘッド基部１０ｂを嵌合するための凹部を形成したものであり、その外面では、図８の（ｂ）及び図４に示したように、収納凹所１１ａを中央に形成して、この収納凹所１１ａの周囲を案内面１１としてある。
【００４１】
つまり、ヘッド部１０のヘッド本体１０ａは、図４に示したように、表面側にブレード部４０を収納して固定するための収納凹所１１ａを形成し、この収納凹所１１ａの周囲に、毛剃りを行う際に背中面に直接当接されることになる案内面１１を形成したものである。こうすることによって、ヘッド部１０の表面においては、収納凹所１１ａ内に収納したブレード部４０の各ブレード４１（本最良形態では３枚ある）が端部ではなく中央で露出して、各ブレード４１は案内面１１によって囲まれることになって、背中面にはまず案内面１１が接触してから各ブレード４１の刃先が当接することになるのである。勿論、このヘッド部１０を構成しているヘッド本体１０ａの縁部は、後述するブレード部取外しボタン１５が当接する部分以外は丸みを帯びた形状に形成してあって、人の肌を傷つけることがないようにしてある。
【００４２】
一方、ヘッド部１０のヘッド基部１０ｂは、図９の（ａ）及び（ｃ）に示したように、後述するジョイント部５０の第１傾動部５１が挿入される左右一対の軸受１２を形成したものであり、この軸受１２内に第１傾動部５１を入れた状態で、前述したヘッド基部１０ｂ側に嵌合されるものである。換言すれば、このヘッド基部１０ｂは、ヘッド本体１０ａに嵌合されたとき、ジョイント部５０側の第１傾動部５１を保持するものであり、これによってヘッド部１０はジョイント部５０に繋がるのである。
【００４３】
また、このヘッド基部１０ｂ内は、図９の（ａ）及び（ｃ）中の仮想線に示したように、左右一対のストッパ収納部１０ｃが形成してあり、これらのストッパ収納部１０ｃ内には外端がブレード部取外しボタン１５となったストッパ１３が収納される。これらのストッパ１３は、上述したヘッド本体１０ａの収納凹所１１ａ内に収納したブレード部４０を止めるものであり、外端に形成したブレード部取外しボタン１５を、ストッパ収納部１０ｃ内に収納した弾性部材１４の弾性力に抗して押すことにより、ブレード部４０の取り外しと交換が行えるようにするものである。
【００４４】
各ストッパ１３は、図１０の（ａ）及び（ｃ）に示したように、内端側に弾性部材１４を受けるための受け１４ａが形成してあり、外端側には当該ストッパ１３を押し込むための上記ブレード部取外しボタン１５が一体化してある。そして、各ストッパ１３の中程には、図１０の（ｃ）に示したように、ブレード部４０に係合することになるストッパ部１３ａが形成してある。なお、受け１４ａ内に受けられる各弾性部材１４は、図１１に示したように、弾性材料を円環状にしたものであり、小さくてもストッパ１３を押し出す程度の弾性力を有している。
【００４５】
以上のようにした結果、このヘッド部１０は、後述するジョイント部５０によってベース部２０に簡単に取り付けられ、またカセット化されたブレード部４０を収納凹所１１ａ内に着脱可能に取り付けることができるだけでなく、ブレード部４０内の各ブレード部４１の刃先が案内面１１によって直接人の肌に接触しないものとなっているのである。しかも、ブレード部４０を止めているストッパ１３の元の位置への復帰を、非常に小さな弾性部材１４によって行うことがきるのであり、このヘッド部１０は、小さなものでありながら、多種類の機能を備えたものとなっているのである。
【００４６】
本最良形態に係る背剃りカミソリ１００は、上述したヘッド部１０をジョイント部５０を介してベース部２０に連結しているため、このジョイント部５０について先に説明すると、このジョイント部５０は、図４〜図７に示したように、球状のジョイント本体５０ａを備えている。このジョイント本体５０ａは、図６及び図７に示したように、ベース部２０の先端に形成した左右一対の支持脚２２上に載置されるものであり、各支持脚２２のスプリング掛け２２ａに掛装した１本のスプリング２３が、スプリング挿入穴５３の内部に挿通されることにより、ベース部２０側に弾力的に連結されるものである。
【００４７】
このジョイント本体５０ａの上側には左右一対の支持台５１ａが一体的に形成してあり、これら各支持台５１ａの外側には上述した第１傾動部５１が設けてある。これらの第１傾動部５１は、前述した通り、図９の（ａ）に示したヘッド部１０側の軸受１２内に挿入され、当該ジョイント本体５０ａとヘッド部１０とを、傾動可能に連結するものである。
【００４８】
当該ジョイント本体５０ａとヘッド部１０との傾動は、両支持台５１ａ間に位置するジョイント本体５０ａ上に一体的に形成した板バネ５４によってある程度の範囲で規制できるようにしてある。板バネ５４は、図５〜図７、及び図１７に示したように、当該背剃りカミソリ１００が組立完了したときに、ヘッド部１０側のヘッド基部１０ｂの裏面に当接することになるものであり、当該板バネ５４の弾性力によってヘッド部１０を一定の位置に保つとともに、ある程度の傾動を許容するものである。
【００４９】
また、ジョイント本体５０ａの中程には、図５〜図７、及び図１７に示したように、前後一対の第２傾動部５２が形成してある。これらの第２傾動部５２は、上記両第１傾動部５１を結ぶ線に対して直交する方向の線上に位置しており、これにより、第１傾動部５１による傾動方向とは異なる方向（直交する方向）の傾動を可能にしている。各第２傾動部５２は、特に図６に示したように、ベース部２０側の支持脚２２上に載置されているだけであり、支持脚２２上の当接面２２ｂに対して言わば転動可能になっている。
【００５０】
そして、このジョイント本体５０ａの下側には、図１７の（ｂ）及び（ｃ）に示したように、スプリング挿入穴５３が形成してあり、このスプリング挿入穴５３内には、図６に示したように、ベース部２０側に掛装したスプリング２３が挿通されるのである。その結果、組立が完了した背剃りカミソリ１００における当該ジョイント本体５０ａは、各第２傾動部５２がベース部２０側の支持脚２２上にて転動可能に支持されていて、その転動範囲をスプリング２３によって弾力的に規制されることになり、ヘッド部１０とベース部２０との第２傾動部５２での傾動が可能になっているのである。
【００５１】
換言すれば、本最良形態のジョイント部５０を構成しているジョイント本体５０ａは、図１７の（ａ）〜（ｃ）にて示したように、一つの小さな球の上に、ヘッド部１０のベース部２０に対する複雑な傾動を可能にする第１傾動部５１及び第２傾動部５２のそれぞれ一対と、ヘッド部１０を常に図１に示した傾斜角度に保持する板バネ５４と、当該ジョイント本体５０ａをベース部２０側に弾力的に保持するスプリング２３が挿通されるスプリング挿入穴５３とを非常にコンパクトにまとめて設けたものであり、この種の背剃りカミソリ１００を形成するにあたって、コストを低減し、構成を簡単にして製造を容易にするものである。勿論、これらの各部品はジョイント本体５０ａに対して一体化してあるから、これらの部品を組立中に紛失することもない。
【００５２】
以上のようなジョイント本体５０ａを有するジョイント部５０が組み付けられるベース部２０は、図１に示したように、グリップ部３０の先端で大きな空間を形成することになるものであり、図１〜図７に示したように、ジョイント部５０側を、図１８に示したベースカバー２１によって覆うようにしたものである。このベースカバー２１の内側になる部分には、図６及び図７に示したように、前述した一対の支持脚２２が一体的に形成してあり、これら各支持脚２２の中央部分にはスプリング掛け２２ａが形成してある。また、各支持脚２２の上面は、前述したジョイント部５０側の第２傾動部５２が載置される当接面２２ｂとなっている。
【００５３】
各支持脚２２に形成してあるスプリング掛け２２ａには、前述したように、一本のスプリング２３が掛装されるのであるが、このスプリング２３の掛装は、上述したジョイント本体５０ａ側のスプリング挿入穴５３内に挿通してからなされることは、前述した通りである。
【００５４】
なお、このベース部２０の上には、図６にも示したように、支持脚２２の近傍にカバー掛け２４が一体的に立設してあり、このカバー掛け２４にはベースカバー２１が嵌合される。このカバー掛け２４が存在することによって、当該背剃りカミソリ１００のベース部２０は、図１〜図３に示したように、全体をスッキリさせるベースカバー２１の取付が簡単に行えるのである。
【００５５】
さて、ベース部２０の先に形成してあるグリップ部３０であるが、このグリップ部３０は、図１２に示したように、本体部３１と、この本体部３１の上側に配置される上スライド板３２と、本体部３１の下側に配置される下スライド板３３とからなっているものである。本体部３１は、図１３の（ａ）に示したように、中央にスライド溝３１ａを有していて、このスライド溝３１ａの前端側と後端側との２カ所に、このスライド溝３１ａより幅弘にした係止溝３１ｂが形成してある。本体部３１の係止溝３１ｂ内には、下スライド板３３側に形成したストッパ３４の頭部が係合して、その位置での上スライド板３２及び下スライド板３３の移動が規制される。
【００５６】
上スライド板３２は、図１４の（ａ）に示したような平面形状を有するものであるが、その断面形状は、図１４の（ｂ）に示したようになっている。すなわち、この上スライド板３２の後端部は、図１２及び図１４の右側部分に示したように、下スライド板３３側への連結部３２ａとなっており、この連結部３２ａの裏面には下スライド板３３側の連結突起３３ｂが嵌入される係合部３２ｃとなっている。
【００５７】
下スライド板３３は、図１２に示したように、その後端部の連結部３３ａにて各連結突起３３ｂにより上スライド板３２と連結されることになるものであり、その前端部側には、図１５の（ａ）〜（ｃ）に示したように、頭部が本体部３１側のスライド溝３１ａの幅より大きなストッパ３４が弾力的に上下動できるように設けてある。このストッパ３４の反対側（外面となる側）には、図１５の（ｃ）にて示したように、解除ボタン３５が一体的に設けてあり、この解除ボタン３５を押すことにより、本体部３１の係止溝３１ｂに係合していたストッパ３４を上スライド板３２側の溝内に押し上げて、当該ストッパ３５の係合が解除される。
【００５８】
勿論、これらの上スライド板３２及び下スライド板３３は一体的になって、本体部３１に対してそのスライド溝３１ａにて、移動できるものであり、当該グリップ部３０全体の長さが、図３中の実線にて示した通常の長さから、図３中の仮想線にて示した長い状態にまで変えられるのである。これにより、当該背剃りカミソリ１００は、背中面の広い面積の毛剃りを、当該グリップ部３０全体の長さ調整を行うことにより実施できるのである。
【００５９】
なお、ヘッド部１０の収納凹所１１ａ内に交換可能に収納されるブレード部４０は、図４及び図１６に示したように、複数（本最良形態では３枚）のブレード４１を枠４２によって挟み込んだものであり、毛剃り用のものとして市販されている一般的なものである。
【産業上の利用可能性】
【００６０】
以上のように構成した本発明に係る背剃りカミソリ１００は、背中の毛剃りが行えるのであるから、プールや海水浴場近くの店舗で陳列すれば、商品群増加に役立つだけでなく、売り上げ増加にも寄与するものであり、プールや海水浴場近くの店舗を繁栄させることが可能である。
【００６１】
勿論、この種の背剃りカミソリ１００は一般的には販売されていないものであるから、髭剃り用カミソリや眉毛剃りカミソリを販売している一般的な店舗についても、売り上げ増加に寄与することができると予想される。
【図面の簡単な説明】
【００６２】
【図１】本発明に係る背剃りカミソリの側面図である。
【図２】同背剃りカミソリを上方からみた斜視図である。
【図３】同背剃りカミソリの平面図である。
【図４】同背剃りカミソリのヘッド部を中心にしてみた部分斜視図である。
【図５】図４に示した部分を反対側からみた部分斜視図である。
【図６】同背剃りカミソリのジョイント部を構成してるジョイント本体を中心にしてみた部分拡大斜視図である。
【図７】図６に示した部分を９０度回転させてみた部分拡大斜視図である。
【図８】同背剃りカミソリのヘッド部を構成しているヘッド本体を示すもので、（ａ）は内面図、（ｂ）は（ａ）中の１−１線に沿ってみた縦断面図である。
【図９】同背剃りカミソリのヘッド部を構成しているヘッド基部を示すもので、（ａ）は内面図、（ｂ）は（ａ）中の２−２線に沿ってみた縦断面図、（ｃ）は（ａ）中の３−３線に沿ってみた縦断面図である。
【図１０】同背剃りカミソリのヘッド部内に組み込まれるストッパを示すもので、（ａ）は拡大平面図、（ｂ）は同正面図、（ｃ）は同側面図である。
【図１１】同背剃りカミソリのヘッド部内に組み込まれる弾性部材を示すもので、（ａ）は拡大側面図、（ｂ）は同平面図である。
【図１２】同背剃りカミソリを構成しているグリップ部を示す分解断面図である。
【図１３】同グリップ部を構成している本体部を示すもので、（ａ）は平面図、（ｂ）は縦断面図である。
【図１４】同グリップ部を構成している上スライド板を示すもので、（ａ）は平面図、（ｂ）は縦断面図、（ｃ）は底面図である。
【図１５】同グリップ部を構成している下スライド板を示すもので、（ａ）は内面図、（ｂ）は縦断面図、（ｃ）は底面図である。
【図１６】同背剃りカミソリを構成しているブレード部を示すもので、（ａ）は正面図、（ｂ）は平面図、（ｃ）は側面図である。
【図１７】ジョイント部を構成してるジョイント本体を示すもので、（ａ）は平面図、（ｂ）は（ａ）中の４−４線に沿ってみた縦断面図、（ｃ）は正面図である。
【図１８】ベース部の先端に嵌合されるベースカバー２１を示すもので、（ａ）は拡大縦断面図、（ｂ）は平面図である。
【符号の説明】
【００６３】
１００    背剃りカミソリ
１０    ヘッド部
１０ａ  ヘッド本体
１０ｂ  ヘッド基部
１０ｃ  ストッパ収納部
１１    案内面
１１ａ  収納凹所
１２    軸受
１３    ストッパ
１３ａ  ストッパ部
１４    弾性部材
１４ａ  受け
１５    ブレード部取外しボタン
２０    ベース部
２１    ベースカバー
２２    支持脚
２２ａ  スプリング掛け
２２ｂ  当接面
２３    スプリング
２４    カバー掛け
３０    グリップ部
３１    本体部
３１ａ  スライド溝
３１ｂ  係止溝
３２    上スライド板
３２ａ  連結部
３２ｂ  連結穴
３２ｃ  係合部
３３    下スライド板
３３ａ  連結部
３３ｂ  連結突起
３３ｃ  係合部
３４    ストッパ
３５    解除ボタン
４０    ブレード部４０
４１    ブレード
４２    枠
５０    ジョイント部
５０ａ  ジョイント本体
５１    第１傾動部
５１ａ  支持台
５２    第２傾動部
５３    スプリング挿入穴
５４    板バネ
【図１】
2009045164.tif 000003
【図２】
2009045164.tif 000004
【図３】
2009045164.tif 000005
【図４】
2009045164.tif 000006
【図５】
2009045164.tif 000007
【図６】
2009045164.tif 000008
【図７】
2009045164.tif 000009
【図８】
2009045164.tif 000010
【図９】
2009045164.tif 000011
【図１０】
2009045164.tif 000012
【図１１】
2009045164.tif 000013
【図１２】
2009045164.tif 000014
【図１３】
2009045164.tif 000015
【図１４】
2009045164.tif 000016
【図１５】
2009045164.tif 000017
【図１６】
2009045164.tif 000018
【図１７】
2009045164.tif 000019
【図１８】
2009045164.tif 000020